(57)【要約】  【課題】挿通窓から取り外した蓋片を紛失する等の不具合を回避する。  【解決手段】物体１、３同士を結合するための結合部材４を挿通可能な挿通窓を有してなり前記物体の一方１に取り付けて使用される部材本体と、この部材本体に蝶着され前記挿通窓を開閉すべく回動する扉１５６とを具備してなる窓付き外装部材１５において、前記扉１５６を、その回動端側を内面側に折り畳み得るように構成した。  【選択図】図２
2006204828.tif 000002
【特許請求の範囲】
【請求項１】
物体同士を結合するための結合部材を挿通可能な挿通窓を有してなり前記物体の一方に取り付けて使用される部材本体と、この部材本体に蝶着され前記挿通窓を開閉すべく回動する扉とを具備してなり、
前記扉が、その回動端側を内面側に折り畳み得るように構成されていることを特徴とする窓付き外装部材。
【請求項２】
前記扉が、前記挿通窓の一側端近傍に基端側ヒンジ部を介して蝶着した扉本体と、この扉本体の回動端側に先端側ヒンジ部を介して蝶着され当該扉本体の内面側に折りたたみ可能な扉先端部とを備えてなるものであり、その扉先端部を折り畳んだ状態で扉を閉止することにより、その扉と前記挿通窓の他側端縁との間に前記結合部材を挿通させるための挿通隙間が形成されるように構成している請求項１記載の窓付き外装部材。
【請求項３】
前記挿通窓に対面する位置にある壁面部における前記挿通隙間に対応する部位に、前記結合部材を貫通させるための壁面開口部を設けるとともに、
前記壁面部における前記扉を開けた状態で前記挿通窓から止着用工具を挿入可能な部位に、前記後端部材を前記物体の一方に止着するための止着具着装部を設けている請求項２記載の窓付き外装部材。
【請求項４】
前記扉本体における基端側ヒンジ部よりも基端側の部位を、前記扉を開く際に押圧するための押圧操作部としている請求項２又は３記載の窓付き外装部材。
【請求項５】
前記部材本体と前記扉との間に、少なくとも前記扉を閉止位置において安定保持するための節度機構を設けている請求項１、２、３又は４記載の窓付き外装部材。
【請求項６】
前記物体の一方が、デスクの天板であり、
前記部材本体が、前記天板における反使用端側小口面に装着される後端部材である請求項１、２、３又は４記載の窓付き外装部材。
【請求項７】
前記挿通窓に対面する位置にある壁面部を前記天板の反使用端側小口面に装着するものとしている請求項６記載の窓付き外装部材。
【請求項８】
前記物体の他方が、前記天板に着脱可能に取り付けられるオプション部材であり、前記結合部材が、前記天板に前記オプション部材を支持させるためのブラケットである請求項６又は７記載の窓付き外装部材。
【発明の詳細な説明】
【技術分野】
【０００１】
本発明は、家具とオプション部材との結合部分あるいは家具同士の結合部分等に配設して使用される、窓付き外装部材に関する。
【背景技術】
【０００２】
デスクに配線ボックスやデスクトップパネル等のオプション部材を取り付ける際、デスクの天板等にブラケットの内方端側を取着した上で、そのブラケットの外方端側にオプション部材を支持させることが通例であるが、その場合、デスクの天板等の外面には、ブラケットの内方端を取着している箇所を隠蔽して見栄えを良好なものにするために、合成樹脂製の外装部材を装着することが少なくない。しかして、このような外装部材には、ブラケットを挿通させるための挿通窓が設けられるが、オプション部材を取り付けない状態、即ち天板等からブラケットを取り外している状態では、外装部材の挿通窓を閉塞しておかないと外観が損なわれる。故に、従来のデスクにおいては、挿通窓を閉塞するための蓋片を着脱可能とし、ブラケット装着時にはその蓋片を取り外して保管しておくようになっている。
【特許文献１】特開平０６−３４３５１７号公報
【発明の開示】
【発明が解決しようとする課題】
【０００３】
しかしながら、前述した従来のものは、挿通窓から取り外した蓋片を紛失し易く、ブラケットを取り外して挿通窓を閉塞する必要が生じたときに支障を来すおそれがある。
【０００４】
また、挿通窓は、当該外装部材自身を天板等に装着する際やブラケットを装脱する際には可及的に大きく開放される一方、ブラケットを装着して使用する際にはブラケットの挿通を許容できる範囲で可及的に挿通窓の残余部分を閉塞する状態となり、ブラケットを取り外して使用する際には前記挿通窓を完全に閉塞する状態となることが望ましい。しかしながら、従来のものはこのような要望に応えることができない。
【０００５】
このような不具合を解消するために、前記挿通窓にスライド式の扉を設けることが考えられる。このようにすれば、必要に応じて扉の開度を変更することができるため、前述した種々の使用態様に対応できる可能性があるが、スライド式の扉は開成させた際の扉収容スペースが不可欠である上に、扉の両縁をスライド可能に支持するための案内レール部が必要となる。そのため、外装部材の本体が挿通窓の開口面積の割には大型化してしまうという傾向がある。
【０００６】
ところで、ブラケット等の結合部材は強度を要求されるためその断面係数の変更には一定の限界があり、挿通窓を無制限に縮小することはできない。その一方で、外装部材の外形は、天板の厚み寸法内に納める必要が生じる等、その大型化には一定の制限が存在することが少なくない。そのため、前述したようなスライド式の扉では対応できないことが多く、何らかの対策が望まれている。
【課題を解決するための手段】
【０００７】
本発明は、このような事情に着目してなされたもので、前記課題を解決するために次のような手段を講じたものである。
【０００８】
すなわち、本発明に係る窓付き外装部材は、物体同士を結合するための結合部材を挿通可能な挿通窓を有してなり前記物体の一方に取り付けて使用される部材本体と、この部材本体に蝶着され前記挿通窓を開閉すべく回動する扉とを具備してなり、この扉が、その回動端側を内面側に折り畳み得るように構成されている。
【０００９】
ここで前記扉の回動軸心は挿通窓の側縁あるいは側縁近傍に設定してもよいし挿通窓の中央部等に設定してもよい。回動中心を挿通窓の中央部等に設定した場合、扉の両回動端側を折り畳めるようにしてもよい。扉の折り畳みにはヒンジを用いるのが好ましいが、ヒンジを用いず扉のある領域を湾曲させることにより回動端側を内側に折り畳むようにしてもよい。
【００１０】
このような構成によれば、扉を開くことによって挿通窓を大きく開放することができ、扉の回動端側を内側に折り畳んだ状態で当該扉を閉じることによって、結合部材を挿通させるのに必要なだけの挿通隙間を形成することができ、回動端側を折り畳まずに当該扉を閉じることによって挿通窓を全閉することができる。
【００１１】
また、本発明に係る窓付き外装部材は、以上の構成を前提とした上で、前記扉を、前記挿通窓の一側端近傍に基端側ヒンジ部を介して蝶着した扉本体と、この扉本体の回動端側に先端側ヒンジ部を介して蝶着され当該扉本体の内面側に折りたたみ可能な扉先端部とを備えてなるものにしている。そして、その扉先端部を折り畳んだ状態で扉を閉止することにより、その扉と前記挿通窓の他側端縁との間に前記結合部材を挿通させるための挿通隙間が形成されるように構成している。
【００１２】
ここで前記基端側ヒンジ部及び先端側ヒンジ部は、軸と軸受けを備えた蝶番構造のものであってもよいが、扉及び部材本体が合成樹脂製のものである場合には、いわゆる樹脂ヒンジ構造のものであってもよい。
【００１３】
このような構成によれば、前述した作用に加え、扉先端部を無理なく折り畳んで扉本体の内面に密着するように重合させることが可能になる。
【００１４】
そして、かかる構成を採用する場合には、前記壁面部における前記挿通隙間に対応する部位に、前記結合部材を貫通させるための壁面開口部を設けるとともに、前記壁面部における前記扉を開けた状態において前記挿通窓から止着用工具を挿入可能な部位に、後端部材を前記物体の一方に止着するための止着具着装部を設けるのが望ましい。止着具着装部は、後端部材を天板に止着するための止着具を装着するためのものであり、例えば、止着具がボルトである場合には、ボルトの頭部を係止させる座と、この座の中心に穿設したボルト挿通孔とからなる。
【００１５】
このような構成によれば、結合部材を前記後端部材の壁面開口部と前記挿通隙間とに挿通させることができ、その結合部材の内方端部を前記物体の一方に取り付けることが可能となる。そして、前記扉全体を開くことによって、ボルト等の止着具を着装するための止着具着装部を外部に露出させることが可能となり、その止着具着装部に向けてドライバー等の止着用工具を外部から挿入することが可能となる。
【００１６】
さらに、かかる構成に加え、前記扉本体における基端側ヒンジ部よりも基端側の部位を、前記扉を開く際に押圧するための押圧操作部としてもよい。
【００１７】
このような構成によれば、前記押圧操作部を指などで押圧することにより、前記扉が基端側ヒンジ部を軸にしてシーソー動作を行い、当該扉が開成することになる。
【００１８】
また、前記部材本体と前記扉との間に節度機構を設け、少なくとも前記扉を閉止位置において安定保持させることができるようにしてもよい。
【００１９】
本発明の好適な実施の態様としては、前記物体の一方が、デスクの天板であり、前記部材本体が、前記天板における反使用端側小口面に取着される後端部材であるものを挙げることができる。
【００２０】
この態様においては、前記後端部材を箱状のものにし、前記挿通窓に対面する位置にある壁面部を前記天板の反使用端側小口面に装着するのが望ましい。
【００２１】
このような構成によれば、後端部材の内部に、前記扉を開いた場合にのみ外部に開放される空洞が形成されることになる。
【００２２】
前記物体の一方がデスクの天板である場合のより具体的な実施態様としては、前記物体の他方が、前記天板に着脱可能に取り付けられる配線ボックス等のオプション部材であり、前記結合部材が、前記天板に前記オプション部材を支持させるためのブラケットであるものを挙げることができる。
【発明の効果】
【００２３】
本発明によれば、扉を常時部材本体に保持させておくことができるため扉を紛失するおそれがなく、使用態様の変更に円滑に対応することが可能となる。また、扉の回動端側を内側に折り畳んで閉止することができるようにしているので、結合部材を挿通させる際の外観を良好なものにすることができる上に、必要な場合には挿通窓を大きく開いて取付作業等の容易化を図ることができる。しかも、前記扉は回動により開閉するものであるため、スライド扉を採用する場合のような扉収納用のスペースや扉案内用のレール部などが不要となる。そのため、強度の必要な結合部材を挿通させるための挿通窓を可及的に大きくした上で、部材本体の外形寸法を比較的小さくすることが可能となり、前述した従来の要望に無理なく応えることができる。
【発明を実施するための最良の形態】
【００２４】
以下、本発明の一実施形態を、図面を参照して説明する。なお、説明中、デスクＤ（または、天板付家具）を使用するユーザが着席する使用端側を前方、反使用端側を後方と定義している。ここでは、一方の物体であるデスクＤの天板１に、他方の物体であるオプション部材３を、結合部材であるブラケット４を介して支持させる実施態様について説明する。この態様においては、天板１における後端側小口面の左右両端部に取り付けられる後端部材１５が、本発明に係る窓付き外装部材に相当する。
【００２５】
本実施形態のデスクＤを、図１に示す。このデスクＤは、例えばオフィス等において用いられるものであって、天板１と、天板１の下方より支持する脚２と、天板１にブラケット４を介して着脱可能に取り付けることができるオプション部材３とを少なくとも具備する。
【００２６】
図２ないし図５に示すように、天板１は、板金材を曲げ加工してなる平面視略矩形状の天板本体を主体とする。天板本体は、天板面１１と、天板面１１に対し直交する側部構造壁１２、後部構造壁１３とを備え、これら天板面１１、側部構造壁１２及び後部構造壁１３によって包囲される内部空間を有している。天板面１１の裏側には、幅方向に延伸する補強材（図示せず）を溶接等により接合してある。しかして、側部構造壁１２の外面には側端部材１４を、後部構造壁１３の後面即ち後端側小口面には後端部材１５及び可撓部材１６を、それぞれ装着する。
【００２７】
側端部材１４は、硬質樹脂を素材とする長尺な短冊状の部材である。側部構造壁１２と対向する内側面には、内方に突出し後方に屈曲する突起１４１を前後方向に沿って複数箇所に間欠的に成形している。これらの突起１４１は、側端部材１４を側部構造壁１２に装着する際に利用する。即ち、側部構造壁１２における、これらの突起１４１に対応する位置に予め透孔１２１を穿ってあり、突起１４１を透孔１２１に挿入することで側端部材１４を側部構造壁１２に対して位置決めし、しかる後に装着用のボルト（図示せず）で両者を締結するようにしている。
【００２８】
側端部材１４の外側面の後端近傍には、側面視略方形状に凹む凹陥部１４２を設けてある。凹陥部１４２には、後述するボルト５を貫入するための貫通孔１４３を穿つ。なお、側部構造壁１２においても、同ボルト５を挿通することのできる貫通孔１２２を穿っておく。側端部材１４の凹陥部１４２に穿った貫通孔１４３と、側部構造壁１２に穿った貫通孔１２２とは、側端部材１４を側部構造壁１２に装着したときに側面視重なり合う。
【００２９】
側端部材１４の凹陥部１４２は、通常時にはサイドキャップ１４４及びスリットキャップ１４５によって被覆し隠蔽することができる。サイドキャップ１４４は側端部材１４に対して着脱自在であり、スリットキャップ１４５はサイドキャップ１４４に対して着脱自在である。
【００３０】
窓付き外装部材たる後端部材１５は、後端側に成形した挿通窓を介して後方に開放する内周部（空洞）を包有する小形箱状の部材本体に、その挿通窓を開閉する扉１５６を設けた部材である。後端部材１５は、硬質樹脂を素材とし、天板１の左右両側に対をなす。図８ないし図１１に示すように、後部構造壁１３と対向する前向面には、前方に向けて突出する突起１５１を複数箇所に成形している。挿通窓に対面する位置にある前端側の壁面部には、止着具着装部を設けておく。具体的には、壁面部の後向面にボルト１５３の頭部を係止させる座１５２ａを設け、この座１５２ａの中心にボルト挿通孔１５２ｂを穿設する。ボルト挿通孔１５２ｂは、壁面部を前後方向に貫通して内周部を前方に連通する。突起１５１及びボルト挿通孔１５２ｂは、後端部材１５を後部構造壁１３に装着する際に利用する。即ち、後部構造壁１３における、突起１５１に対応する位置に透孔１３１を、ボルト挿通孔１５２ｂに対応する位置にボルト孔１３２を予め穿ってあり、突起１５１を透孔１３１に挿入することで後端部材１５を後部構造壁１３に対して位置決めし、しかる後に止着具たるボルト１５３をボルト挿通孔１５２ｂを介してボルト孔１３２に螺合させて両者を締結するようにしている。
【００３１】
側端部材１４を側部構造壁１２に装着し、後端部材１５を後部構造壁１３に装着した状態で、側端部材１４の内側面と後端部材１５の外側面とが密接または近接し、同時に、側端部材１４の後端と後端部材１５の後端とが略面一になる。因みに、後端部材１５の外側面に、外方に突出し前方に屈曲する突条１５４を成形してある。この突条１５４は、側端部材１４の後端に刻んだ切溝１４６に差し入れられる。
【００３２】
後端部材１５の壁面部には、前後方向に貫通して内周部に連通する壁面開口部（スロット孔）１５５を設けている。壁面開口部１５５は、その外方縁が背面視側部構造壁１２の内面に略一致するように外寄りに位置づけてある。この壁面開口部１５５は、後述するブラケット４の内方端部たる挿入端部４１を挿入するためのものである。なお、後部構造壁１３においても、同挿入端部４１を挿通することのできる開口１３３を形成しておく。後端部材１５の壁面部に穿った壁面開口部１５５と、後部構造壁１３に形成した開口１３３とは、後端部材１５を後部構造壁１３に装着したときに背面視重なり合い、天板本体内の内部空間を外部に連通させるブラケット挿通口となる。
【００３３】
後端部材１５の内周部は、通常時には扉１５６によって被覆し隠蔽することができる。扉１５６は、扉本体１５６ａ及び扉先端部１５６ｂを要素とし、後端部材１５の後端近傍において内周部を閉止、即ち挿通窓を閉塞し得るように設ける。扉本体１５６ａは、背面視止着具着装部を含めた内周部の大半領域を閉止するもので、扉本体１５６ａの一側端（図示例では、内側端）近傍に基端側ヒンジ部を介して後端部材１５に蝶着してある。基端側ヒンジ部は、例えば、扉本体１５６ａの上下縁より突出するピン１５６ｃを後端部材１５の内周面に軸承させることで構成する。扉先端部１５６ｂは、背面視壁面開口部１５５に略対応する部分領域を閉止するもので、先端側ヒンジ部１５６ｄを介して回動可能であるように扉本体１５６ａに支持させてある。
【００３４】
後端部材１５を後部構造壁１３に装着するときや、ブラケット４を天板１に固定するときには、上記の止着部着装部または壁面開口部を露見させる必要があり、従って扉１５６を操作して後端部材１５の挿通窓を開放しなくてはならない。挿通窓の略全域を閉塞している（図１０に示す）扉１５６を開くには、扉本体１５６ａにおける基端側ヒンジ部（ピン１５６ｃ）よりも基端側（図示例では、内側方）の部位を手指で背後から前方に押してやる。さすれば、基端側ヒンジ部を中心に扉本体１５６ａ及び扉先端部１５６ｂが旋回する。つまり、扉本体１５６ａにおける基端側ヒンジ部よりも基端側の部位は、当該扉１５６を開かんとする際に押圧される押圧操作部として機能する。
【００３５】
なお、後端部材１５の部材本体と扉１５６との間に、少なくともこの扉１５６または扉本体１５６ａを挿通窓を閉止する閉止位置（図２、図４または図１０に示す）に安定的に保持するための節度機構を設けている。図１１に示しているように、本実施形態では、扉本体１５６ａの外周縁より外方に突出する凸部（図示例では、基端側ヒンジ部よりも基端側において上下縁より突出している）１５６ｅを設け、扉本体１５６ａを閉止位置に位置づけたときにこの凸部１５６ｅが挿通窓の内周縁と密接して摩擦を生じせしめることにより扉本体１５６ａを閉止位置に保持し得るようにしている。なお、後端部材１５の内周部には、扉本体１５６ａを基端側ヒンジ部回りに回動させたときに凸部１５６ｅが通る軌跡に沿って凹溝１５７を彫ってある。この凹溝１５７は、平断面視基端側ヒンジ部を中心とした略部分円弧状をなし、凸部１５６ｅが凹溝１５７内に収まる角度の範囲内で扉本体１５６ａをスムーズに回動させるものである。つまるところ、押圧操作部を押圧して扉本体１５６ａを閉止位置より挿通窓を開け放つ方向に変位させれば凸部１５６ｅに対する摩擦が低減して扉１５６のスムーズな回動を許容する一方、扉本体１５６ａを閉止位置に復帰させれば凸部１５６ｅに対する摩擦が増大して扉１５６の回動が抑制される。
【００３６】
天板本体の左右両側に装着した後端部材１５間には、撓み変形容易な可撓部材１６を装着する。可撓部材１６は、天板１の幅方向に沿って延伸する中空な射出成形品である。後端部材１５の後端と可撓部材１６の後端とは、平面視略一直線上に連続して天板１の後縁を形作る。後端部材１５は、他の家具、什器や部屋の壁面等に突き当てることができる剛性を担保する。一方、可撓部材１６は、天板面１１上に載置された各種機器に接続しているコード類（給電コード、通信ケーブル等）を天板１下に落とし込むために利用できる。
【００３７】
しかして、本実施形態のデスクＤでは、所望のオプション部材３を天板１の後端側にブラケット４を介して取り付けできるようになっている。ブラケット４は、オプション部材の一である配線ボックス３（配線ダクト）を支持するべく使用されるものであって、少なくとも、天板本体内の内部空間に挿入される挿入端部４１と、当該配線ボックス３を支持する配線ボックス支持部４２とを備える。図示例のブラケット４は、板金材を用いてなる平板な部材であり、前後方向に水平に伸長する挿入端部４１と、挿入端部４１の後端近傍より鉛直下方に伸長する配線ボックス支持部４２とが側面視略逆Ｌ字型をなす。
【００３８】
挿入端部４１には、ボルト５を螺合させるナット部を設けている。即ち、ボルト５をねじ入れるためのボルト孔４１１を、天板本体の側部構造壁１２及び側端部材１４の各々に穿った貫通孔１２２、１４３に対応する位置に形成して、ナット部を構成している。
【００３９】
配線ボックス支持部４２には、配線ボックス３を支持する直接的な手段であるフック爪４２１と水平支持片４２２とを設けている。フック爪４２１は、配線ボックス支持部４２の後端縁より突出する上向き爪で、上下方向に沿って複数箇所に間欠的に設けてある。水平支持片４２２は、配線ボックス支持部４２の下端より内側方に屈曲しており、その所定位置に貫通孔４２３を穿ってある。
【００４０】
ブラケット４を天板１に固定するに際しては、まず、後端部材１５の内周部を開閉する扉１５６を操作し、少なくとも扉先端部１５６ｂによって閉止される領域を開放する。より詳しく述べると、押圧操作部を押圧して基端側ヒンジ部を中心に扉本体１５６ａ及び扉先端部１５６ｂを旋回させ、後方に押し出された（図９に示す）扉先端部１５６ｂを扉本体１５６の内面側に折り畳み、この扉先端部１５６ｂを折り畳んだ状態で扉本体１５６ａを再び閉止することによって、扉本体１５６ａと挿通窓の他側端縁（図示例では、外方側縁）との間にブラケット４を挿通させ得る程度の挿通隙間が形成される状態となる（図２、図４に示す）。この状態では、背面視壁面開口部１５５が露見するが、止着具着装部（座１５２ａ及びボルト挿通孔１５２ｂ）は扉本体１５６ａに遮蔽される。また、側端部材１４の凹陥部１４２を隠蔽しているサイドキャップ１４４及びスリットキャップ１４５を取り外しておく。
【００４１】
次に、ブラケット４の挿入端部４１をブラケット挿通口、即ち後端部材１５の壁面開口部１５５及び後部構造壁１３の開口１３３に後方より挿入し、挿入端部４１を天板本体内の内部空間に配置する。そして、この挿入端部４１の外側面を側部構造壁１２の内面側に添接させながら、挿入端部４１のボルト孔４１１を側部構造壁１２の貫通孔１２２、凹陥部１４２の貫通孔１４３に側面視重なり合うよう位置づける。しかる後、外側方よりボルト５を貫通孔１４３、１２２に貫通させボルト孔４１１に螺合することで、ブラケット４の挿入端部４１を側部構造壁１２の内面側に締結する。結果、ブラケット４が天板１に対して固定される。ボルト５の緊締を完了したならば、先に取り外していたサイドキャップ１４４及びスライドカバーを再び凹陥部１４２に取り付けて、ボルト５や凹陥部１４２を隠蔽する。天板１に固定してあるブラケット４を天板１より脱離させるには、上記と真逆の手順を実行すればよいことは言うまでもない。
【００４２】
なお、蛇足ながら、後端部材１５を後部構造壁１３に装着しようとする場合には、背面視壁面開口部１５６のみならず止着部着装部までもが露見するように扉本体１５６ａを開放して（図９に示す）、ボルト１５３をボルト挿通孔１５２ｂを介してボルト孔１３２に螺合し緊締する。このように、作業工程に応じて扉１５６を開く度合い（即ち、扉先端部１５６ｂのみを開くのか、扉１５６全体を開くのか）を変えることが可能である。そして、扉１５６全体を開いてやれば、ボルト１５３の螺着に使用する止着用工具（ドライバー等）を挿通窓より止着具着装部の近傍まで容易に挿入することができる。
【００４３】
天板１に固定したブラケット４の配線ボックス支持部４２には、配線ボックス３を支持させることができる。配線ボックス３は、図６ないし図７に示すように、上方に開放した配線空間を有するボックス本体３１と、ボックス本体３１の左右両側を閉塞する側板体３２と、配線空間を上方より閉止する蓋体３３とを備えている。
【００４４】
ボックス本体３１は、板金材を曲げ加工してなり、底壁３１１の前後両縁より前壁３１２と後壁３１３とが垂直に立ち上がり、これら底壁３１１、前壁３１２及び後壁３１３が側断面視略チャネル状をなす部材である。前壁３１２の高さは、後壁３１３の高さよりもかなり低い。ボックス本体３１の幅方向の寸法、言い換えるならば配線空間の幅方向の内寸は、天板１後縁にある可撓部材１６の幅方向の寸法に概ね等しい。後壁３１３の前向面には、幅方向に沿って延伸する補強レール３１５を溶接等により接合している。ボックス本体３１内には、コンセント等（給電コンセント、通信コネクタまたはモジュラージャック、他）を保持するためのコンセントホルダ３４を設置できる。
【００４５】
左右に対をなす側板体３２は、ボックス本体３１の両側を閉塞するものであると同時に、ブラケット４と係わり合う部材でもある。左右両側の側板体３２の外法は、デスクＤの天板１の幅寸法に略等しい。側板体３２の上端は、ボックス本体３１の前壁３１２及び後壁３１３の上端よりも高位置にある。これら側板体３２はそれぞれ、ボックス本体３１に溶接等により直接に接合する側壁３２１と、側壁３２１の外側端を被覆するサイドカバー３２７とを要素とする。側壁３２１は、板金材を外側方に開放した薄箱形状に成形してなる。配線空間に臨む内側面の中央部位には、透窓３２２を穿ってある。並びに、内側面の下端近傍の部位において、外側方に屈曲した係合片３２３を切り起こしており、この係合片３２３にナット３２３ａを設けている。前面には、フック孔３２４を上下方向に沿って複数箇所に間欠的に穿つとともに、係合片３２３の下縁に対応する高さ位置に支持片差入口３２５を切り欠いている。これらフック孔３２４、支持片差入口３２５及び係合片３２３は、ブラケット４の配線ボックス支持部４２に設けたフック爪４２１、水平支持片４２２と係合する。また、上端近傍に形成した外向面には、前後二箇所にボルト孔３２６を穿ってある。ボルト孔３２６は、さらに他の部材（例えば、デスクトップパネルを支持する取付金具等）を取り付ける際に利用できる。
【００４６】
サイドカバー３２７は、側壁３２１に外側方より装着してこれを覆う硬質樹脂成形品である。サイドカバー３２７は、上記の透窓３２２に対応した形状の筒状体を内側方に突出させており、側壁３２１に装着したときにこの筒状体が透窓３２２の周縁に密接または近接して配線空間に収めたコード類を配線ボックス３外へ導くための配線通路を構成する。配線通路は、配線ボックス３をデスクＤまたはブラケット４に対して着脱する場合に手指を差し入れる把手としても機能する。因みに、この配線通路を開閉する戸板３２８を、例えばヒンジを介してサイドカバー３２７に回動可能に取り付けておくことが好ましい。サイドカバー３２７の上端近傍は、側壁３２１の外向面及びボルト孔３２６を露出させるように一部切り欠いてある。この切り欠いてある部位は、コーナーキャップ３２９を装着することで隠蔽できる。
【００４７】
蓋体３３は、側面視扁平な台形状の外形をなし、左右両側の側板体３２に可動に支持させてある。本実施形態における配線ボックス３では、この蓋体３３を両開き可能としている。即ち、蓋体３３の前縁を持ち上げて前方より配線空間を開放することができるのみならず、蓋体３３の後縁を持ち上げて後方より配線空間を開放することもできる。
【００４８】
配線ボックス３のブラケット４への取り付けに際しては、既に述べたように、側板体３２の前面に穿ったフック孔３２４にフック爪４２１を係合させつつ、支持片差入口３２５に水平支持片４２２を挿入する。このとき、側板体３２の内部に進入した水平支持片４２２が、係合片３２３の下面に当接する。配線ボックス３をブラケット４に対して完全に固定するには、固定用のボルト３５を水平支持片４２２の貫通孔４２３を介して係合片３２３に設けたナット３２３ａに下方より螺合し、これら水平支持片４２２と係合片３２３とを締結すればよい。
【００４９】
配線ボックス３をブラケット４を介してデスクＤに取り付けたとき、側板体３２の上端面は天板面１１に略面一となる。そして、蓋体３３を閉じている状態では、この蓋体３３の上面もまた天板面１１に略面一となる。このとき、天板１の後縁と蓋体３３の前縁とが略隙間なく近接する。天板面１１上に載置された各種機器に接続しているコード類を配線ボックス３内に収容するには、蓋体３３の前縁を持ち上げてボックス本体３１を開放し、可撓部材１６を装着してある部位を介してコード類をボックス本体３１内に落とし込み、しかる後に蓋体３３の前縁を下ろしてボックス本体３１を閉止すればよい。蓋体３３と前壁３１２、後壁３１３との間には間隙が存在するため、配線したコード類と蓋体３３とが干渉し合うことは避けられる。
【００５０】
本実施形態によれば、後端に物体１、３同士を結合するための結合部材４を挿通可能な挿通窓を有してなり前記物体の一方１に取り付けて使用される部材本体と、この部材本体に蝶着され前記挿通窓を開閉すべく回動する扉１５６とを具備してなり、この扉１５６が、その回動端側を内面側に折り畳み得る窓付き外装部材１５を構成したため、扉１５６を開くことによって挿通窓を大きく開放することができ、扉１５６の回動端側を内側に折り畳んだ状態で当該扉１５６を閉じることによって、結合部材４を挿通させるのに必要なだけの挿通隙間を形成することができ、回動端側を折り畳まずに当該扉１５６を閉じることによって挿通窓を全閉することができる。
【００５１】
また、前記扉１５６を、前記挿通窓の一側端近傍に基端側ヒンジ部１５６ｃを介して蝶着した扉本体１５６ａと、この扉本体１５６ａの回動端側に先端側ヒンジ部１５６ｄを介して蝶着され当該扉本体１５６ａの内面側に折りたたみ可能な扉先端部１５６ｂとを備えてなるものとし、その扉先端部１５６ｂを折り畳んだ状態で扉１５６を閉止することにより、その扉１５６と前記挿通窓の他側端縁との間に前記結合部材４を挿通させるための挿通隙間が形成されるように構成したため、前述した作用に加え、扉先端部１５６ｂを無理なく折り畳んで扉本体１５６ａの内面に密着するように重合させることが可能になる。
【００５２】
そして、前記壁面部における前記挿通隙間に対応する部位に、前記結合部材４を貫通させるための壁面開口部１５５を設けるとともに、前記壁面部における前記扉１５６を開けた状態において前記挿通窓から止着用工具を挿入可能な部位に、後端部材１５を前記物体の一方１に止着するための止着具着装部１５２ａ、１５２ｂを設けているため、結合部材４を前記後端部材１５の壁面開口部１５５と前記挿通隙間とに挿通させることができ、その結合部材４の内方端部４１を前記物体の一方１に取り付けることが可能となる。そして、前記扉全体１５６を開くことによって、ボルト１５３等の止着具を着装するための止着具着装部を外部に露出させることができ、その止着具着装部に向けてドライバー等の止着用工具を簡便に外部から挿入することが可能となる。
【００５３】
さらに、前記扉本体１５６ａにおける基端側ヒンジ部１５６ｃよりも基端側の部位を、前記扉１５６を開く際に押圧するための押圧操作部としており、前記押圧操作部を指などで押圧する操作で容易に前記扉１５６を開成せしめることができる。
【００５４】
また、前記窓付き外装部材１５の部材本体と前記扉１５６との間に節度機構を設け、少なくとも前記扉１５６を閉止位置において安定保持させることができるようにしているから、不用意に扉１５６が開いてしまう不具合を回避できる。
【００５５】
前記物体の一方がデスクＤの天板１であり、前記部材本体が前記天板における反使用端側小口面に取着される後端部材１５であれば、デスクＤの使い勝手を損なわずに格調を高めることができる。
【００５６】
この態様においては、前記後端部材１５を箱状のものにし、前記挿通窓に対面する位置にある壁面部を前記天板１の反使用端側小口面即ち後部構造壁１３の後向面に装着することが望ましく、上記の構成によれば、後端部材１５の内部に、前記扉１５６を開いた場合にのみ外部に開放される内周部（空洞）が形成されることになるため、その内周部を扉先端部１５６ｂの収容領域として、また、結合部材４の内方端部４１の挿入領域として、有効に利用できる。
【００５７】
前記物体の一方がデスクＤの天板１である場合、前記物体の他方が、前記天板１に着脱可能に取り付けられる配線ボックス３、デスクトップパネル等のオプション部材であり、前記結合部材４が、前記天板１に前記オプション部材３、６を支持させるためのブラケット４であれば、必要に応じて所望のオプション部材を自由に取り付けることができる好適な家具となる。
【００５８】
ところで、本発明の第２の実施形態として、図１２及び図１３に示すように、従来より周知のデスクトップパネル取付構造の如く、オプション部材たるデスクトップパネルを支持する取付金具７を側部構造壁１２の外面側に、板ナット８を側部構造壁１２の内面側にそれぞれ配しつつ、これら取付金具７、板ナット８をともに同一のボルト５を以て側部構造壁１２に対し固定することも可能である。板ナット８は、その挿入端部に（ブラケット４の挿入端部４１におけるものと同様の）ボルト孔８１を穿っておく。そして、取付金具７を側端部材１４の凹陥部１４２の外向面に当接させ、その貫通孔７１から側端部材１４、側部構造壁１２を貫通させてボルト５を板ナット８のボルト孔８１に螺合させ緊締する。このときの板ナット８は、デスクＤの天板１とデスクトップパネルとを結合するための結合部材としての役割を果たす。板ナット８は、必ずしも天板１外に突出している必要はなく、よって扉１５６は完全に閉止することができる。また、図示例のような取付金具７を用いる際には、サイドキャップ１４４のみを凹陥部１４２に装着し、スリットキャップ１４５は取り外しておく。これは、取付金具７におけるデスクトップパネルを支持するための部位がスリットキャップ１４５の装着部位を介して凹陥部１４２より上方に突き出ることによる。
【００５９】
なお、本発明は以上に詳述した実施形態に限られるものではない。特に、オプション部材及び／または結合部材の具体的態様は、上記実施形態におけるものには限られない。例えば、オプション部材として、デスクトップパネル等を結合部材を介してデスクＤの天板１に取り付けるものとしても構わない。この場合の結合部材は、配線ボックス３を支持する機能の替わりに、デスクトップパネル等を支持する機能を備えることとなる。
【００６０】
また、上述した実施形態では、ボルト５とブラケット４（または、板ナット８）の挿入端部４１との関係がボルト対ナットの関係になっていたが、ブラケット４の挿入端部４１に必ずしもナットの機能を付帯させる必要はなく、単にこれが止着具５たるねじに対するねじ受けであっても構わない。
【００６１】
その他各部の具体的構成は上記実施形態に限られるものではなく、本発明の趣旨を逸脱しない範囲で種々変形が可能である。
【図面の簡単な説明】
【００６２】
【図１】本発明の一実施形態におけるデスクを示す斜視図。
【図２】同要部平断面図。
【図３】天板本体及び側端部材を示す要部分解斜視図。
【図４】ブラケットの天板への取り付けを示す要部分解斜視図。
【図５】同要部側断面図。
【図６】配線ボックスのブラケットへの取り付けを示す要部分解斜視図。
【図７】配線ボックスのブラケットへの取り付けを示す要部正断面図。
【図８】側端部材の天板への取り付けを示す要部分解斜視図。
【図９】同要部分解斜視図。
【図１０】扉によって挿通窓を完全に閉止した状態を示す要部斜視図。
【図１１】挿通窓を開閉する扉を説明する要部分解斜視図。
【図１２】本発明の変形例の一を示す要部平断面図。
【図１３】同要部分解斜視図。
【符号の説明】
【００６３】
Ｄ…デスク
１…天板
１２…側部構造壁
３…オプション部材（配線ボックス）
４…ブラケット
５…止着具（ボルト）
【図１】
2006204828.tif 000003
【図２】
2006204828.tif 000004
【図３】
2006204828.tif 000005
【図４】
2006204828.tif 000006
【図５】
2006204828.tif 000007
【図６】
2006204828.tif 000008
【図７】
2006204828.tif 000009
【図８】
2006204828.tif 000010
【図９】
2006204828.tif 000011
【図１０】
2006204828.tif 000012
【図１１】
2006204828.tif 000013
【図１２】
2006204828.tif 000014
【図１３】
2006204828.tif 000015